(57)【要約】【課題】生ごみ処理機において、油分の多い生ごみを連続的に処理する際、蓋部の加熱手段の表面に油分が付着し、付着した油分から煙が出て、ファンにより、その煙が排出路、触媒を通り機体外に押し出されるという課題を有していた。【解決手段】運転開始時、触媒加熱手段１２を最初に運転し、その後乾燥ヒータ（加熱手段）３と乾燥ファン６とをほとんど同時あるいは乾燥ファン６を乾燥ヒータ３よりも早く運転開始し、最後に吸引ファン９の運転を開始する構成としたので、乾燥ヒータ３が十分に熱くなって乾燥ヒータ３の表面に付着した油分から煙が発生する前に、乾燥ファン６の運転が開始するため、乾燥ファン６により、油分や発生した煙が希釈、拡散され、連続的に処理されても乾燥ヒータ３に付着した油分からの煙が希釈、拡散される前に機体外に出ることがなくなり、信頼性の高い生ごみ処理機を提供できるようになる。【選択図】図１
2006159085.tif 000002
【特許請求の範囲】
【請求項１】
生ごみを投入する処理槽と、前記処理槽内の生ごみを加熱する加熱手段と、前記処理槽内の生ごみに温風を当てる乾燥ファンと、前記処理槽内の生ごみの撹拌を行う撹拌手段と、前記処理槽より空気を排出する排出路の途中に設けられ排出空気の脱臭を行う触媒装置と、前記触媒装置を加熱する触媒加熱手段と、前記排出空気を排出する吸引ファンと、制御手段とを有し、前記制御手段は、運転開始時、触媒加熱手段を最初に運転し、その後、前記加熱手段と前記乾燥ファンとを略同時に、あるいは前記乾燥ファンの運転を前記加熱手段よりも早く開始し、次に、吸引ファンの運転を開始する生ごみ処理機。
【請求項２】
生ごみを投入する処理槽と、前記処理槽内の生ごみを加熱する加熱手段と、前記処理槽内の生ごみに温風を当てる乾燥ファンと、前記処理槽内の生ごみの撹拌を行う撹拌手段と、前記処理槽より空気を排出する排出路の途中に設けられ排出空気の脱臭を行う触媒装置と、前記触媒装置を加熱する触媒加熱手段と、前記排出空気を排出する吸引ファンと、制御手段とを有し、前記制御手段は、運転開始時、触媒加熱手段を最初に運転し、その後、吸引ファンの運転を開始し、次に、加熱手段と乾燥ファンの運転を略同時に開始する生ごみ処理機。
【請求項３】
制御手段は、吸引ファンの運転開始時は吸引ファンの回転数を小さくし、生ごみの蒸発量が大きくなると吸引ファンの回転数を大きくする請求項１または２に記載の生ごみ処理機。
【請求項４】
触媒加熱手段をシーズヒータで構成し、制御手段は、吸引ファンを運転するまで、シーズヒータの通電率を大きくする請求項１または３に記載の生ごみ処理機。
【請求項５】
触媒加熱手段をシーズヒータで構成し、制御手段は、乾燥ファンを運転するまで、シーズヒータの通電率を大きくする請求項２または３に記載の生ごみ処理機。
【発明の詳細な説明】
【技術分野】
【０００１】
本発明は、食品などの生ごみを乾燥処理する生ごみ処理機に関するものである。
【背景技術】
【０００２】
従来の生ごみ処理機の構成を図４を用いて説明する。
【０００３】
１は乾燥減量したい生ごみを投入する処理槽で、生ごみは蓋２を開けて投入される。処理槽１の内部には生ごみの撹拌を行う撹拌手段４を配し、撹拌手段４はモータ５により駆動される。収納容器１の上部には庫内温度検出手段１３の出力で収納容器１内の温度を所定温度になるように温度調整を行う加熱手段３、送風手段である乾燥ファン６が設けてあり、乾燥ファン６は乾燥モータ７により回転する。処理槽１内で発生した水蒸気は吸引モータ８により回転する吸引ファン９により機体外部に排出路１０を通り排出される。なお、この排出路１０の途中には、排出水蒸気の脱臭を行うための触媒装置１１が設けられており、触媒装置１１には触媒装置１１を加熱するための触媒加熱手段１２が設けられている。１４は触媒装置１１の流入前の排出路１０に設けた排出路温度検出手段である。
【０００４】
また１５は庫内温度検出手段１３、排出路温度検出手段１４の出力で加熱手段３、モータ５、乾燥モータ７、吸引モータ８、触媒加熱手段１２を制御する制御装置であり、制御装置１５により、図５に示すように運転開始時は、まず加熱手段３と触媒加熱手段１２を通電させ庫内温度が十分暖まった後に乾燥モータ７を回転させ、生ごみに熱を供給し、蒸発量が多くなると、収納容器から蒸気漏れを防止するため吸引モータ８を回転させ、モータ５は間欠的に運転停止を繰り返すように動作していた。さらに制御装置１５により、運転開始後、庫内温度検出手段１３で庫内温度は一定に制御され、排出路温度検出手段１４の温度が生ごみの乾燥が進み、発生する蒸気量が低下しピーク値から予め設定しておいた所定値△ｔの温度差が生じるまで低下すると生ごみ乾燥運転は停止し、冷却運転を所定時間行い本体は停止していた（例えば、特許文献１参照）。
【特許文献１】特開平１１−３００３２５号公報
【発明の開示】
【発明が解決しようとする課題】
【０００５】
しかしながら従来の構成においては、油分の多い生ごみを２回、３回と連続的に生ごみ処理機に投入して処理しようとすると、蓋部の加熱手段の表面に油分が付着してしまい、先に加熱手段が通電し熱せられると、乾燥ヒータ表面から先に付着した油分から煙が出て、その後乾燥モータが運転することにより、乾燥ファンによりその煙が排出路、触媒を通り機体外に押し出されるという課題を有していた。
【０００６】
本発明は、前記従来の課題を解決するもので、油分の多い生ごみを連続的に処理されても乾燥ヒータに付着した油分からの煙が機体外に出ることがなく使用者に不安感を与えることのない信頼性の高い生ごみ処理機を提供することを目的とする。
【課題を解決するための手段】
【０００７】
前記課題を解決するために本発明は、生ごみを投入する処理槽と、前記処理槽内の生ごみを加熱する加熱手段と、前記処理槽内の生ごみに温風を当てる乾燥ファンと、前記処理槽内の生ごみの撹拌を行う撹拌手段と、前記処理槽より空気を排出する排出路の途中に設けられ排出空気の脱臭を行う触媒装置と、前記触媒装置を加熱する触媒加熱手段と、前記排出空気を排出する吸引ファンと、制御手段とを有し、前記制御手段は、運転開始時、触媒加熱手段を最初に運転し、その後前記加熱手段と前記乾燥ファンとを略同時に、あるいは前記乾燥ファンの運転を前記加熱手段よりも早く開始し、次に吸引ファンの運転を開始する生ごみ処理機とした。
【０００８】
これによって加熱手段が十分に熱くなって加熱手段の表面に付着した油分から煙が発生する前に、乾燥ファンの運転が開始するため、乾燥ファンによって油分や発生した煙が拡散、希釈され、油分の多い生ごみを連続的に処理されても乾燥ヒータに付着した油分からの煙が希釈、拡散される前に、機体外に出ることがなくなり、使用者に不安感を与えることのない信頼性の高い生ごみ処理機が提供できるものである。
【発明の効果】
【０００９】
本発明の生ごみ処理機は油分の多い生ごみを連続的に処理されても乾燥ヒータに付着した油分からの煙が希釈、拡散される前に機体外に出ることがなく使用者に不安感を与えることのない信頼性の高い生ごみ処理機を提供することができる。
【発明を実施するための最良の形態】
【００１０】
第１の発明は、生ごみを投入する処理槽と、前記処理槽内の生ごみを加熱する加熱手段と、前記処理槽内の生ごみに温風を当てる乾燥ファンと、前記処理槽内の生ごみの撹拌を行う撹拌手段と、前記処理槽より空気を排出する排出路の途中に設けられ排出空気の脱臭を行う触媒装置と、前記触媒装置を加熱する触媒加熱手段と、前記排出空気を排出する吸引ファンと、制御手段とを有し、前記制御手段は、運転開始時、触媒加熱手段を最初に運転し、その後前記加熱手段と前記乾燥ファンとを略同時に、あるいは前記乾燥ファンの運転を前記加熱手段よりも早く開始し、次に吸引ファンの運転を開始する生ごみ処理機としたもので、油分の多い生ごみを連続的に処理されても乾燥ヒータに付着した油分からの煙が乾燥ファンによって希釈、拡散される前に機体外に出ることがなく、使用者に不安感を与えることのない信頼性の高い生ごみ処理機を提供することができる。
【００１１】
第２の発明は、生ごみを投入する処理槽と、前記処理槽内の生ごみを加熱する加熱手段と、前記処理槽内の生ごみに温風を当てる乾燥ファンと、前記処理槽内の生ごみの撹拌を行う撹拌手段と、前記処理槽より空気を排出する排出路の途中に設けられ排出空気の脱臭を行う触媒装置と、前記触媒装置を加熱する触媒加熱手段と、前記排出空気を排出する吸引ファンと、制御手段とを有し、前記制御手段は、運転開始時、触媒加熱手段を最初に運転し、その後、吸引ファンの運転を開始し、次に、加熱手段と乾燥ファンの運転を略同時に開始する生ごみ処理機としたもので、油分の多い生ごみを連続的に処理されても乾燥ヒータに付着した油分からの煙が希釈、拡散される前に機体外に出ることがなく、使用者に不安感を与えることのない信頼性の高い生ごみ処理機を提供することができる。
【００１２】
第３発明は、第１または第２の発明の制御手段が、吸引ファンの運転開始時は吸引ファンの回転数を小さくし、生ごみの蒸発量が大きくなると吸引ファンの回転数を大きくするようにしたので、吸引ファンの運転開始時は回転数を小さくするため処理槽からの熱の排出が少なく抑えられ省エネが図れると共に、生ごみの蒸発量が大きくなると共に吸引ファンの回転数を大きくするため処理槽内の圧力上昇が抑えられ、処理槽からの蒸気漏れが防止でき、生ごみ処理中のいやな臭いが発生しない、快適な生ごみ処理機を提供することができる。
【００１３】
第４の発明は、第１または第３の発明の触媒加熱手段をシーズヒータで構成し、制御手段は、吸引ファンを運転するまで、シーズヒータの通電率を大きくするようにしたので、シーズヒータの入力を大きくして触媒の温度上昇を早くすることにより吸引ファンが運転開始するまでの時間を短縮し、生ごみの処理時間を短時間にできる生ごみ処理機を提供できる。
【００１４】
第５の発明は、第２または第３の発明の触媒加熱手段をシーズヒータで構成し、制御手段は、乾燥ファンを運転するまで、シーズヒータの通電率を大きくするようにしたので、シーズヒータの入力を大きくして触媒の温度上昇を早くすることにより乾燥ファンが運転開始するまでの時間を短縮し、生ごみの処理時間を短時間にできる生ごみ処理機を提供できる。
【００１５】
以下、本発明の実施の形態について、図面を参照しながら説明する。尚、この実施の形態によって本発明が限定されるものではない。
【００１６】
（実施の形態１）
以下、本発明の実施の形態１について図１〜図３を参照しながら説明する。
【００１７】
図１は本発明の実施例１の生ごみ処理機の側断面図である。なお図４と同一部材には同一番号を付している。
【００１８】
１は乾燥減量させたい生ごみを投入する処理槽で、生ごみは蓋２を開けて投入される。処理槽１の内部には生ごみの撹拌を行う撹拌手段４を配し、撹拌手段４はモータ５により間欠的に駆動される。処理槽１の上部には庫内温度検出手段１３の出力で処理槽１内温度を予め設定してある所定値にまるように温度調整を行う加熱手段３、送風手段である乾燥ファン６が設けてあり、乾燥ファン６は乾燥モータ７により回転する。処理槽１内で発生した水蒸気は吸引モータ８みより回転する吸引ファン９により機体外部に排出路１０を通り排出される。なお、この排出路１０途中には排出水蒸気の脱臭を行う触媒装置１１が設けられており、触媒装置１１には触媒装置１１を加熱するための触媒加熱手段１２が設けられている。１４は触媒装置１１の流入前の排出路１０に設けた排出路温度検出手段である。
【００１９】
また、１６は庫内温度検出手段１３、排出路温度検出手段１４の出力で加熱手段３、モータ５、乾燥モータ７、吸引モータ８、触媒加熱手段１２を制御する制御装置である。
【００２０】
次に上記のように構成された生ごみ処理機の動作について説明する。先ず生ごみを蓋２を開けて処理槽１へ投入し蓋２を閉める。そして運転を開始すると、図２に示すように、最初に触媒加熱手段１２を運転し、その後加熱手段３単独運転で熱くなり過ぎないように、加熱手段３と乾燥モータ７とをほぼ同時かあるいは乾燥モータ７を加熱手段３よりも早く運転開始するように制御装置１６によって動作する。その後庫内温度検出手段１３の出力で制御装置１６により庫内温度が一定になるように温度制御を行い、排出路温度検出手段１４の温度がピーク値から予め設定してある温度差△ｔが発生した時点で乾燥運転は終了し冷却時間を所定時間行い機器は停止する。
【００２１】
したがって油分の多い生ごみを連続的に処理されても乾燥ヒータに付着した油分からの煙が機体外に出ることがなく使用者に不安感を与えることのない信頼性の高い生ごみ処理機を提供することができる。
【００２２】
また、制御装置１６により吸引モータは回転数を可変速とし、吸引ファンの運転開始時は吸引ファンの回転数は小さく、生ごみの蒸発量が大きくなると吸引ファンの回転数は大きくなるように制御される。
【００２３】
したがって運転開始時は回転数を小さくするため処理槽からの熱の排出が少なく抑えられ省エネが図れると共に、生ごみの蒸発量が大きくなると共に吸引ファンの回転数を大きくするため処理槽内の圧力上昇が抑えられ処理槽からの蒸気漏れが防止でき生ごみ処理中のいやな臭いのない快適な生ごみ処理機を提供することができる。
【００２４】
また、制御装置１６により触媒加熱手段であるシーズヒータは通電率を可変とし、吸引ファンが運転するまでは触媒加熱手段の通電率を大きくするように制御される。
【００２５】
したがって運転開始時は触媒加熱手段の入力を大きくして触媒の温度上昇を早くすることにより吸引ファンが運転開始するまでの時間を短縮し、生ごみの処理時間を短時間にできる生ごみ処理機を提供することができる。
【００２６】
（実施の形態２）
なお制御装置１６以外は上記第１の実施の形態と同一であり、その説明は省略する。そして、制御装置は新しく番号１７付与する。
【００２７】
本発明の実施の形態２について、その動作を、図３のタイミングチャートに基づいて説明する。
【００２８】
先ず、生ごみを蓋２を開けて処理槽１へ投入し蓋２を閉める。そして運転を開始すると、図３に示すように、制御装置１７によって運転開始時、触媒加熱手段１２を最初に運転し、その後吸引ファンを運転開始した後に加熱手段３と乾燥モータ７をほぼ同時に運転開始し加熱手段３が単独運転で熱くなり過ぎないように動作する。その後庫内温度検出手段１３の出力で制御装置１６により庫内温度が一定になるように温度制御を行い、排出路温度検出手段１４の温度がピーク値から予め設定してある温度差△ｔが発生した時点で乾燥運転は終了し冷却時間を所定時間行い機器は停止する。
【００２９】
したがって油分の多い生ごみを連続的に処理されても乾燥ヒータに付着した油分からの煙が運転開始時に機体外に出ることがなく使用者に不安感を与えることのない信頼性の高い生ごみ処理機を提供することができる。
【００３０】
また、制御装置１７によって吸引ファンの回転数を可変速とし、吸引ファンの運転開始時は吸引ファンの回転数は小さく、生ごみの蒸発量が大きくなると吸引ファンの回転数は大きくなるように制御される。
【００３１】
したがって吸引ファンの運転開始時は回転数を小さくするため処理槽からの熱の排出が少なく抑えられ省エネが図れると共に、生ごみの蒸発量が大きくなると共に吸引ファンの回転数を大きくするため処理槽内の圧力上昇が抑えられ処理槽からの蒸気漏れが防止でき生ごみ処理中のいやな臭いのない快適な生ごみ処理機を提供することができる。
【００３２】
また、制御装置１７によって触媒加熱手段であるシーズヒータは通電率を可変とし、加熱手段あるいは乾燥ファンを運転するまでは触媒加熱手段の通電率を大きくするように制御される。
【００３３】
したがって触媒加熱手段の入力を大きくして触媒の温度上昇を早くすることにより加熱手段あるいは乾燥ファンを運転開始するまでの時間を短縮することができ、生ごみの処理時間を短時間にできる生ごみ処理機を提供することができる。
【産業上の利用可能性】
【００３４】
以上のように、本発明にかかる生ごみ処理機は油分の多い生ごみ処理を繰り返し行っても運転開始時に乾燥ヒータに付着した油分からの煙が、希釈、拡散される前に機体外に出ることがなく、使用者に不安感を与えることのない信頼性の高い生ごみ処理機を提供することが可能となるので、調理器具等の家庭電化機器への用途にも適用できる。
【図面の簡単な説明】
【００３５】
【図１】本発明の実施の形態１における生ごみ処理機の側断面図
【図２】同、生ごみ処理機のタイミングチャート
【図３】本発明の実施の形態２における生ごみ処理機のタイミングチャート
【図４】従来の生ごみ処理機の側断面図
【図５】同、生ごみ処理機のタイミングチャート
【符号の説明】
【００３６】
１  処理槽
３  乾燥ヒータ（加熱手段）
６  乾燥ファン
９  吸引ファン
１１  触媒装置
１２  触媒加熱手段
１６  制御装置
【図１】
2006159085.tif 000003
【図２】
2006159085.tif 000004
【図３】
2006159085.tif 000005
【図４】
2006159085.tif 000006
【図５】
2006159085.tif 000007